(57)【特許請求の範囲】
【請求項１】
送風ファンが配置される送風室と、
前記送風室より風下側に配置される集塵フィルタと、
前記集塵フィルタと前記送風室との間をシールするシール部と、
前記集塵フィルタより前記風下側に配置され、その外周部が脱臭フィルタ枠により支持された脱臭フィルタと、を備え、
前記集塵フィルタは、前記シール部より前記風下側から取付け及び取り外し可能に構成され、前記シール部より前記風下側に取付けられた状態で、前記脱臭フィルタ枠により前記シール部に向かって押圧されており、
前記脱臭フィルタは、前記集塵フィルタより前記風下側から前記集塵フィルタに積層されるように取り付けられており、
前記脱臭フィルタ枠は、斜め方向から前記集塵フィルタと平行になるように取り付け可能に構成され、前記斜め方向の低い側では前記集塵フィルタを押圧しないことを特徴とする空気清浄機。
【請求項２】
送風ファンが配置される送風室と、
前記送風室より風下側に配置される集塵フィルタと、
前記集塵フィルタと前記送風室との間をシールするシール部と、
前記集塵フィルタより前記風下側に配置され、その外周部が脱臭フィルタ枠により支持された脱臭フィルタと、を備え、
前記集塵フィルタは、前記シール部より前記風下側から取付け及び取り外し可能に構成され、前記シール部より前記風下側に取付けられた状態で、前記脱臭フィルタ枠により前記シール部に向かって押圧されており、
前記脱臭フィルタは、前記集塵フィルタの側方から前記集塵フィルタに積層されるように取り付けられており、
前記脱臭フィルタ枠は、前記脱臭フィルタ枠の取り付け方向の奥側では前記集塵フィルタを押圧しないことを特徴とする空気清浄機。
【請求項３】
前記集塵フィルタは、矩形状で、横方向と比べ縦方向に撓みやすいものであり、
前記縦方向に沿った２辺が押圧されていることを特徴とする請求項１又は２に記載の空気清浄機。
【発明の詳細な説明】
【技術分野】
【０００１】
本発明は、例えば室内に設置される空気清浄機に関する。
【背景技術】
【０００２】
従来、本体内に吸い込まれた室内空気が集塵フィルタを通過し、微細な塵埃が取り除かれた後、脱臭フィルタを通過して匂い成分などが吸着される空気清浄機が提案されている。
【０００３】
このような空気清浄機として、例えば特許文献１には、ファンによって吸気口から本体内に取り込まれた空気が脱臭などのフィルタを通過して清浄された後、排気口から吐出される構成が記載されている。この空気清浄機では、ファンがフィルタより風上側に位置し、ファンがフィルタに向かって空気を吹き出す押込み式が採用されている。
【先行技術文献】
【特許文献】
【０００４】
【特許文献１】特開平０９―００２０５９号公報
【発明の概要】
【発明が解決しようとする課題】
【０００５】
しかし、特許文献１に記載の空気清浄機では、押込み式を採用し、フィルタの風下側でフィルタと本体との間をシールしているので、フィルタの風上側すなわちファン側からフィルタを取り外す必要があると考えられる。従って、フィルタを取り付け、または取り外す際に、ユーザの指などがファンに接触する可能性があるという問題があった。
【０００６】
そこで、この発明は上記のような課題を解決するためになされたもので、フィルタのメンテナンス時の安全性を向上できる空気清浄機を提供することを目的とする。
【課題を解決するための手段】
【０００７】
第１の発明に係る空気清浄機は、
送風ファンが配置される送風室と、
前記送風室より風下側に配置される集塵フィルタと、
前記集塵フィルタと前記送風室との間をシールするシール部と、
前記集塵フィルタより前記風下側に配置され、その外周部が脱臭フィルタ枠により支持された脱臭フィルタと、を備え、
前記集塵フィルタは、前記シール部より前記風下側から取付け及び取り外し可能に構成され、前記シール部より前記風下側に取付けられた状態で、前記脱臭フィルタ枠により前記シール部に向かって押圧されており、
前記脱臭フィルタは、前記集塵フィルタより前記風下側から前記集塵フィルタに積層されるように取り付けられており、
前記脱臭フィルタ枠は、斜め方向から前記集塵フィルタと平行になるように取り付け可能に構成され、前記斜め方向の低い側では前記集塵フィルタを押圧しない。
【０００８】
第２の発明に係る空気清浄機は、
送風ファンが配置される送風室と、
前記送風室より風下側に配置される集塵フィルタと、
前記集塵フィルタと前記送風室との間をシールするシール部と、
前記集塵フィルタより前記風下側に配置され、その外周部が脱臭フィルタ枠により支持された脱臭フィルタと、を備え、
前記集塵フィルタは、前記シール部より前記風下側から取付け及び取り外し可能に構成され、前記シール部より前記風下側に取付けられた状態で、前記脱臭フィルタ枠により前記シール部に向かって押圧されており、
前記脱臭フィルタは、前記集塵フィルタの側方から前記集塵フィルタに積層されるように取り付けられており、
前記脱臭フィルタ枠は、前記脱臭フィルタ枠の取り付け方向の奥側では前記集塵フィルタを押圧しない。
【０００９】
第１及び第２の発明の空気清浄機では、送風室より風下側に配置された集塵フィルタが、送風室との間に配置されたシール部より風下側（すなわち、送風ファンと反対側）から取付け及び取り外し可能に構成される。従って、集塵フィルタと送風室との間のシール性を確保しつつ、集塵フィルタのメンテナンス時の安全性を向上できる。
【００１０】
さらに、第１及び第２の発明の空気清浄機では、集塵フィルタがシール部に向かって（風下側から風上側に向かって）押圧されて取り付けられるので、集塵フィルタと送風室との間のシール性をより向上できる。
【００１１】
さらに、第１及び第２の発明の空気清浄機では、集塵フィルタが脱臭フィルタ枠により押圧される。従って、集塵フィルタの構成を簡単にし、製造コストを低減できる。
【００１２】
さらに、第１の発明の空気清浄機では、脱臭フィルタが、集塵フィルタより風下側から集塵フィルタに積層されるように取り付けられる。従って、集塵フィルタが風下側から押さえつけられ、集塵フィルタと送風室との間を確実にシールできる。また、脱臭フィルタを取り付ける際には、風下側から集塵フィルタを視認して取り付けることができるので、脱臭フィルタの取付性を向上できる。
【００１３】
さらに、第１の発明の空気清浄機では、脱臭フィルタ枠が斜め方向の低い側で集塵フィルタを押圧しないので、脱臭フィルタ枠を取り付ける際に、押さえ部と集塵フィルタとの干渉を防ぎ、装着性を向上できる。
【００１４】
さらに、第２の発明の空気清浄機では、脱臭フィルタが、集塵フィルタの側方から集塵フィルタに積層されるように取り付けられる。従って、脱臭フィルタを側方からスライドさせて容易に取り付けることができる。
【００１５】
さらに、第２の発明の空気清浄機では、脱臭フィルタ枠が脱臭フィルタ枠の取り付け方向の奥側で集塵フィルタを押圧しないので、脱臭フィルタ枠をスライドさせて取り付ける際に、押さえ部と集塵フィルタとの干渉を防ぎ、装着性を向上できる。
【００１６】
第３の発明に係る空気清浄機は、
前記集塵フィルタは、矩形状で、横方向と比べ縦方向に撓みやすいものであり、
前記縦方向に沿った２辺が押圧されている。
【００１７】
第３の発明の空気清浄機では、横方向と比べて撓み易い集塵フィルタの縦方向に沿った２辺が押圧される。従って、集塵フィルタが撓むのを確実に防止できる。
【発明の効果】
【００１８】
第１及び第２の発明では、送風室より風下側に配置された集塵フィルタが、送風室との間に配置されたシール部より風下側（すなわち、送風ファンと反対側）から取付け及び取り外し可能に構成される。従って、集塵フィルタと送風室との間のシール性を確保しつつ、集塵フィルタ交換などメンテナンス時の安全性を向上できる。
【００１９】
さらに、第１及び第２の発明では、集塵フィルタがシール部に向かって（風下側から風上側に向かって）押圧されて取り付けられるので、集塵フィルタと送風室との間のシール性をより向上できる。
【００２０】
さらに、第１及び第２の発明では、集塵フィルタが脱臭フィルタ枠により押圧される。従って、集塵フィルタの構成を簡単にし、製造コストを低減できる。
【００２１】
さらに、第１の発明では、脱臭フィルタが、集塵フィルタの風下から集塵フィルタに積層されるように取り付けられる。従って、集塵フィルタが風下側から押さえつけられ、集塵フィルタと送風室との間を確実にシールできる。また、脱臭フィルタを取り付ける際には、風下側から集塵フィルタを視認して取り付けることができるので、脱臭フィルタの取付性を向上できる。
【００２２】
さらに、第１の発明では、脱臭フィルタ枠が斜め方向の低い側で集塵フィルタを押圧しないので、脱臭フィルタ枠を取り付ける際に、押さえ部と集塵フィルタとの干渉を防ぎ、装着性を向上できる。
【００２３】
さらに、第２の発明では、脱臭フィルタが、集塵フィルタの側方から集塵フィルタに積層されるように取り付けられる。従って、脱臭フィルタを側方からスライドさせて容易に取り付けることができる。
【００２４】
さらに、第２の発明では、脱臭フィルタ枠が脱臭フィルタ枠の取り付け方向の奥側で集塵フィルタを押圧しないので、脱臭フィルタ枠をスライドさせて取り付ける際に、押さえ部と集塵フィルタとの干渉を防ぎ、装着性を向上できる。
【００２５】
第３の発明では、横方向と比べて撓み易い集塵フィルタの縦方向に沿った２辺が押圧される。従って、集塵フィルタが撓むのを確実に防止できる。
【図面の簡単な説明】
【００２６】
【図１】本発明の第１実施形態に係る空気清浄機の概略を示す斜視図。
【図２】（ａ）は空気清浄機の平面図、（ｂ）は空気清浄機の左側面図、（ｃ）は空気清浄機の正面図、（ｄ）は空気清浄機の右側面図。
【図３】空気清浄機の縦断面図。
【図４】（ａ）は空気清浄室の構成を示す斜視図、（ｂ）は（ａ）から脱臭フィルタを取り外した斜視図。
【図５】図４の脱臭フィルタおよび脱臭フィルタ枠の斜視図。
【図６】図４の集塵フィルタの斜視図。
【図７】図４のフィルタカバーの斜視図。
【図８】図１のＡ−Ａ線断面図。
【図９】図１のＢ−Ｂ線断面図。
【図１０】第１実施形態に係る空気清浄機に関し、（ａ）は集塵フィルタを装着する状態の断面図、（ｂ）は脱臭フィルタを装着する状態の断面図、（ｃ）は集塵フィルタおよび脱臭フィルタを装着した状態の断面図。
【図１１】脱臭フィルタ枠に特化フィルタを追加した変形例の断面図。
【図１２】第２実施形態に係る空気清浄機に関し、（ａ）は集塵フィルタを装着する状態の断面図、（ｂ）は脱臭フィルタを装着する状態の断面図、（ｃ）は集塵フィルタおよび脱臭フィルタを装着した状態の断面図。
【発明を実施するための形態】
【００２７】
以下、本発明の実施形態を添付図面に従って説明する。
【００２８】
［空気清浄機の全体構成］
図１に示すように、第１実施形態の空気清浄機１は、四角柱状の装置であって、その外周面がケーシング１ａ（図２参照）によって覆われている。この空気清浄機１は、加湿機能と空気清浄機能とを有し、ユーザは、空気清浄機能だけを選択することができるが、加湿機能を選択した時は空気清浄機能が伴う。なお、図１では、内部構成が見えるようにケーシング１ａ（鉛直４側面）を外した状態で図示し、フィルタカバー３３と脱臭フィルタ枠３５とを省略している。
【００２９】
空気清浄機１は、送風室２、空気清浄室３、加湿室４を有しており、それらは下方から上方に向かって送風室２、空気清浄室３、加湿室４の順に並んでいる。つまり、空気清浄機１は、縦に延びる形状となるので、設置面積が小さくなる。送風室２は、空気清浄室３の空気清浄フィルタ３０に対して空気を送風する。空気清浄室３は、室内空気に含まれる塵埃等を除去して空気を清浄する。加湿室４は、室内空気を加湿する。
【００３０】
送風室２には、送風ファン２０が配置される。空気清浄室３には、空気清浄フィルタ３０が配置される。加湿室４には、加湿ユニット５０が配置される。つまり、メンテナンスを要する加湿ユニット５０が上に位置するので、メンテナンス作業が容易になる。なお、加湿ユニット５０は、右側面パネル１２の上方に設けられた脱着口１５を開閉する側方扉１２ｂ（図２参照）から水平方向に取出し可能となっている。
【００３１】
図２に示すように、ケーシング１ａの前面パネル１０は、前面吸込口１０ａを有する。この前面吸込口１０ａは、前面パネル１０の下方に設けられ、送風室２に連通している。ケーシング１ａの左側面パネル１１は、左吸込口１１ａを有する。ケーシング１ａの右側面パネル１２は、右吸込口１２ａを有する。左吸込口１１ａおよび右吸込口１２ａは、送風室２に連通している。ケーシング１の天面パネル１３は、天面吹出口１３ａを有する。天面吹出口１３ａは、天面パネル１３の略全域に設けられている。
【００３２】
この空気清浄機１では、送風ファン２０が駆動されることによって、前面吸込口１０ａ、左吸込口１１ａ、及び右吸込口１２ａから送風室２に室内空気が吸い込まれる。そして、図３の実線矢印で示すように、送風室２に吸い込まれた空気は、送風ファン２０、空気清浄フィルタ３０、加湿フィルタ５１の順にこれらを通過して、天面吹出口１３ａから吹き出される。
【００３３】
図２に示すように、前面吸込口１０ａは、前面パネル１０の幅方向に沿って延びた幅広の吸込口であり、前面パネル１０の下方（下端近傍）に設けられる。したがって、前面吸込口１０ａからは、前面吸込口１０ａの近傍に配置された図示しないプレフィルタを介し、前面パネル１０の前方の床面付近に浮遊した塵埃・花粉等が吸い込まれる。なお、このプレフィルタは、前面吸込口１０ａを覆うように前面パネル１０に沿って配置されている。
【００３４】
左吸込口１１ａおよび右吸込口１２ａは、それぞれ左側面パネル１１および右側面パネル１２の幅方向略全域、かつ左側面パネル１１および右側面パネル１２の下方に設けられた吸込口である。詳しくは、左吸込口１１ａおよび右吸込口１２ａは、左側面パネル１１および右側面パネル１２の上下方向中央よりも下方に設けられる。したがって、上下方向について、天面吹出口１３ａは、左吸込口１１ａ、右吸込口１２ａ及び前面吸込口１０ａと離れて配置される。左吸込口１１ａの近傍および右吸込口１２ａの近傍には、それぞれ、図示しないプレフィルタが配置される。このプレフィルタは、それぞれ、左吸込口１１ａおよび右吸込口１２ａを覆うように、上下方向に沿って配置され、大きな塵埃を捕集する。
【００３５】
図３に示すように、空気清浄室３に配置された空気清浄フィルタ３０は、集塵フィルタ３１と、脱臭フィルタ３２とを有している。集塵フィルタ３１および脱臭フィルタ３２の側周面は、樹脂製のフィルタカバー３３で覆われている。なお、図３では説明の便宜上、脱臭フィルタ枠３５を省略している。
【００３６】
加湿室４に配置される加湿ユニット５０は、空気に水分を供給して空気を加湿する加湿フィルタ５１と、加湿フィルタ５１に供給する水を貯留する水トレー５２と、水トレー５２に供給する水が貯留される水タンク５３とを有している。この加湿室４は、空気清浄室３と天面吹出口１３ａとの間に配置される。図３に示すように、水タンク５３は、正面から見て加湿室４の右側（幅）方向中央より右側の空間に配置される。
【００３７】
送風室２は、送風ファン２０と、送風ファン２０を駆動するモータ２２と、埃センサ２５と、電装部材２６と、ストリーマ放電ユニット２７（活性種供給装置）と、仕切部材２８とを有している。この送風室２は、空気清浄機１の最も下方に形成されており、空気清浄フィルタ３０に対して空気を送風する。
【００３８】
送風ファン２０は、モータ２２の片側（右側）に取り付けられたダブルシロッコファンであり、左吸込面２０ａと右吸込面２０ｂとを有する。
【００３９】
埃センサ２５は、送風室２に吸い込まれる室内空気に含まれる塵埃量を検出する。埃センサ２５は、左吸込口１１ａとプレフィルタとの間、かつ左吸込口１１ａの上端近傍に配置される。
【００４０】
電装部材２６は、プリント基板などを収容しており、送風ファン２０の上方に配置される。
【００４１】
ストリーマ放電ユニット２７は、放電部を有する活性種発生装置である。ストリーマ放電ユニット２７では、針状電極に高電圧を印加することによりプラズマ放電の一種であるストリーマ放電が発生する。当該放電発生の際に酸化分解力の高い活性種が生成される。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。
【００４２】
仕切部材２８は、送風ファン２０の右吸込面２０ｂと略同一平面上に配置された板状部材であって、送風室２の空間を、左側空間２ａと右側空間２ｂとに仕切る部材である。したがって、図３に示すように、モータ２２、送風ファン２０、埃センサ２５および電装部材２６は、正面から見て送風室２の左側の左側空間２ａに配置される。本発明の電装品には、モータ２２、埃センサ２５および電装部材２６などが含まれる。左吸込口１１ａから左吸込面２０ａまでの距離Ｔ１は、右吸込口１２ａから右吸込面２０ｂまでの距離Ｔ２よりも長い。また、モータ２２と水タンク５３とは左右方向について離れて配置される。
【００４３】
空気清浄機１では、図３の点線矢印で示すように、空気清浄フィルタ３０を通過した空気の一部が、支流としてストリーマ放電ユニット２７に送られる。この支流がストリーマ放電ユニット２７を通過するときに、ストリーマ放電によって発生した活性種が支流に供給される。活性種が供給された支流は、図３の実線矢印で示す空気流（本流）に合流して、天面吹出口１３ａ側に送られる。支流に供給された活性種は、脱臭フィルタ３２にまで到達し、脱臭フィルタ３２での脱臭効果が高められる。
【００４４】
以下、本発明の空気清浄室３について詳述する。
【００４５】
空気清浄室３には、図４（ａ）および（ｂ）に示すように、フィルタカバー３３と脱臭フィルタ枠３５と集塵フィルタ３１と脱臭フィルタ３２とが配設されている。ケーシング１ａに固定されたフィルタカバー３３には、集塵フィルタ３１と、集塵フィルタ３１の上側に配置されたフィルタ枠３５とが収容されている。このフィルタ枠３５の内側には、脱臭フィル３２が保持されている。
【００４６】
図３に示すように、集塵フィルタ３１および脱臭フィルタ３２は、送風室２と加湿室４との間で送風室２の風下側（送風室２の上方）に略水平に配置されている。また、脱臭フィルタ３２が集塵フィルタ３１よりも風下側に配置されている。なお、図３の実線矢印に示すように、送風ファン２０が駆動すると、風上側から風下側、すなわち送風ファン２０から加湿フィルタ５１に向かって下方から上方に空気が流動する。
【００４７】
脱臭フィルタ３２は矩形状であり、通過する空気からホルムアルデヒドや臭い成分などを吸着または分解する。図５に示すように、脱臭フィルタ３２は、その外周部が脱臭フィルタ枠３５により支持されている。
【００４８】
脱臭フィルタ枠３５は、脱臭フィルタ３２の外形形状に対応する矩形の枠体である。脱臭フィルタ枠３５は、左側壁３６ｂに形成された複数の第１爪部３７ａと、右側壁３６ｃに形成された第２爪部３７ｂ(図９参照)と、正面壁３６ａおよび背面壁３６ｄの下部に形成された押さえ部３８とを有する。ただし、左側壁３６ｂの下部には押さえ部３８が形成されていない。これにより、仮に左側壁３６ｂに押さえ部が形成される場合と比べて、脱臭フィルタ枠３５をケーシング１ａに装着する際に、第１爪部３７ａが支点となって脱臭フィルタ枠３５が回動し、押さえ部が集塵フィルタ３１と干渉する（押圧する）のを防止できる。また、右側壁３６ｃに押さえ部が形成されていない。これにより、仮に右側壁３６ｃに押さえ部が形成される場合と比べて、脱臭フィルタ枠３５をケーシング１ａに装着する際に、脱着口１５に押さえ部が当たって入れにくくなるのを防止できる。正面壁３６ａおよび背面壁３６ｄの下部に押さえ部３８を形成することで、集塵フィルタ３１の撓みやすい方向を押圧し、撓むのを防止できる。
【００４９】
第１爪部３７ａは、左側壁３６ｂと直交する方向の外方に突出している。第２爪部３７ｂは、右側壁３６ｃと直交する方向の外方に突出している。押さえ部３８は、左側壁３６ｂおよび右側壁３６ｃの下端よりも下方に突出し、押さえ部３８の下縁は水平方向に延びている。なお、脱臭フィルタ枠３５を左側面から水平方向に見ると、正面壁３６ａの押さえ部３８と背面壁３６ｄの押さえ部３８との下端が、左側壁３６ｂと右側壁３６ｃとの下端よりも下方に位置している。
【００５０】
図６に示すように、集塵フィルタ３１は矩形状であり、通過する空気から微細な塵埃を補集して取り除く。集塵フィルタ３１は不織布からなり、基部４０と、基部４０の内側に形成された集塵部４１とから一体に形成されている。
【００５１】
基部４０は、集塵フィルタ３１の外周部（４辺）を構成する正面部４０ａ、左側面部４０ｂ、右側面部４０ｃおよび背面部４０ｄとからなる矩形の枠体である。
【００５２】
集塵部４１は、ブリーツ加工（山谷折り）により形成され、集塵フィルタ３１の左側面部４０ｂから右側面部４０ｃにわたる方向（縦方向）に伸縮可能な蛇腹状のフィルタである。この構成により集塵フィルタ３１は、正面部４０ａから背面部４０ｄにわたる方向（横方向）と比べ縦方向に上下に撓みやすくなっている。なお、脱臭フィルタ３２が脱臭フィルタ枠３５により支持されているのに対し、集塵フィルタ３１の外周部はフィルタ枠により支持されていない。
【００５３】
図７に示すように、フィルタカバー３３は上端と下端とが開口した箱形状であり、下側の支持部４３と、上側の収容部４４とからなる。支持部４３の上端面が、後述する座面４５ｂの一部を構成し、収容部４４に収容される集塵フィルタ３１を支持する。収容部４４には、集塵フィルタ３１と脱臭フィルタ３２とが収容される。支持部４３と収容部４４との間には段部４５ａが設けられ、この段部４５ａによりフィルタカバー３３の内側に座面４５ｂが露出している。このため、フィルタカバー３３を上方から見ると、収容部４４の外形寸法が、支持部４３の外形寸法よりも大きくなっている。収容部４４に集塵フィルタ３１を収容すると、集塵フィルタ３１の４辺を構成する基部４０の下端面が座面４５ｂに当接する。
【００５４】
収容部４４は、正面側立壁４４ａと、左側立壁４４ｂと、右側立壁４４ｃと、背面側立壁４４ｄとからなる。左側立壁４４ｂの上部には、水平方向に延びる長方形形状の一対の左側孔４７ａが形成されている。右側立壁４４ｃの上部には、右側孔４７ｂが形成されている。収容部４４に脱臭フィルタ枠３５を収容すると、脱臭フィルタ枠３５の第１爪部３７ａが左側孔４７ａに係止し、第２爪部３７ｂが右側孔４７ｂに係止する。
【００５５】
次に、図８および図９を参照して、集塵フィルタ３１および脱臭フィルタ３２を収容部４４を介してケーシング１ａに固定した状態について説明する。図８は、送風室２および空気清浄室３を図１のＡ−Ａ線で切った断面を示す。図９は、送風室２および空気清浄室３を図１のＢ−Ｂ線で切った断面を示す。
【００５６】
図８に示すように、ケーシング１ａ内に下方から上方、すなわち風上側から風下側に向かって、送風ファン２０、集塵フィルタ３１および脱臭フィルタ３２が順に配設されている。
【００５７】
送風ファン２０と脱臭フィルタ３２との間に配設された集塵フィルタ３１は、基部４０の下端面が座面４５ｂに当接してシール部６を形成している。シール部６は集塵フィルタ３１の風上側（下側）に位置し、集塵フィルタ３１と送風室２との間をシールしている。シール部６が集塵フィルタ３１の風上側に位置しているので、集塵フィルタ３１がシール部６より風下側から取付け及び取り外し可能に構成されている。
【００５８】
図９に示すように、集塵フィルタ３１の風下側（上方）に配設された脱臭フィルタ枠３５は、第１爪部３７ａが左側孔４７ａ（図７参照）に係止し、第２爪部３７ｂが右側孔４７ｂに係止して、収容部４４内に固定されている。このとき、脱臭フィルタ枠３５の正面壁３６ａに形成された押さえ部３８の下端面が、集塵フィルタ３１に形成された正面部４０ａの上端面を下方に向かって力Ｆ１で押圧している（図８参照）。同様に、脱臭フィルタ枠３５の背面壁３６ｄに形成された押さえ部３８の下端面が、集塵フィルタ３１に形成された背面部４０ｄの上端面を下方に向かって力Ｆ１で押圧している。すなわち、脱臭フィルタ枠３５が、集塵フィルタ３１の縦方向に沿った対向する２辺を風下側から風上側に向かって押圧している。なお、脱臭フィルタ枠３５の左側面壁３６ｂと集塵フィルタ３１の左側面部４０ｂとの間、および脱臭フィルタ枠３５の右側面壁３６ｃと集塵フィルタ３１の右側面部４０ｃとの間には、隙間Ｌが形成されている（図９参照）。
【００５９】
以上から、図８の矢印Ｃに示すように、送風ファン２０を駆動すると空気が風上から風下に向かって流動するが、この空気の流動方向と反対方向に、脱臭フィルタ枠３５が集塵フィルタ３１を力Ｆ１で押圧している。また、集塵フィルタ３１が脱臭フィルタ枠３５により押圧されることで、集塵フィルタ３１の基部４０の下端面が、風下側から風上側に向かう力Ｆ２で座面４５ｂを押圧している。
【００６０】
以下、図１０を参照して、集塵フィルタ３１および脱臭フィルタ３２をケーシング１ａに取り付ける手順について説明する。
【００６１】
集塵フィルタ３１と脱臭フィルタ３２とを、ケーシング１ａに固定された収容部４４に収容するため、図１０（ａ）に示すように、座面４５ｂより上方の脱着口１５から集塵フィルタ３１を収容部４４に挿入する。すると、座面４５ｂにより集塵フィルタ３１が位置決めされる（図１０（ｂ）参照）。すなわち、集塵フィルタ３１がシール部６より風下側から取付けられる。
【００６２】
この後、脱臭フィルタ３２を支持している脱臭フィルタ枠３５を脱着口１５から収容部４４に挿入する。脱臭フィルタ３２は、集塵フィルタ３１の上方から空気の流動方向と平行に降下され、まず、脱臭フィルタ枠３５の第１爪部３７ａがフィルタカバー３３の左側孔４７ａに係止して、集塵フィルタ３１に対して斜めの状態になる。この後、第１爪部３７ａを支点として脱臭フィルタ枠３５が回動し、脱臭フィルタ３２が集塵フィルタ３１に対して平行な状態になる。このようにして、脱臭フィルタ３２が集塵フィルタ３１に積層されるように取り付けられる（図１０（ｃ）参照）。このとき、脱臭フィルタ枠３５の第２爪部３７ｂがフィルタカバー３３の右側孔４７ｂに係止する。これにより、集塵フィルタ３１および脱臭フィルタ３２の取り付けが完了する。
【００６３】
再度、メンテナンスなどのために、集塵フィルタ３１と脱臭フィルタ３２とを取り出す必要が生じたとする。このとき、まず加湿ユニット５０を取り外した後、脱着口１５から脱臭フィルタ枠３５、集塵フィルタ３１を順に取り出す。すなわち、集塵フィルタ３１がシール部６より風下側から取り出される。
【００６４】
［本実施形態の空気清浄機の特徴］
本実施形態の空気清浄機１には以下の特徴がある。
【００６５】
本実施形態の空気清浄機１では、送風室２の風下側に配置された集塵フィルタ３１が、送風室２との間に配置されたシール部６より風下側、すなわち送風ファン２０と反対側から取付け及び取り外し可能に構成されている。従って、集塵フィルタ３１と送風室２との間のシール性を確保しつつ、集塵フィルタ３１の交換などメンテナンス時の安全性を向上できる。
【００６６】
本実施形態の空気清浄機１では、集塵フィルタ３１が脱臭フィルタ枠３５により風下側から風上側に向かって押圧されて取り付けられるので、よりシール性を向上できる。
【００６７】
本実施形態の空気清浄機１では、横方向と比べて撓み易い集塵フィルタ３１の縦方向に沿った２辺、すなわち正面部４０ａと背面部４０ｄとが押圧される。従って、集塵フィルタ３１が撓むのを確実に防止できる。
【００６８】
本実施形態の空気清浄機１では、集塵フィルタ３１の外周部がフィルタ枠により支持されておらず、脱臭フィルタ枠３５により押圧される。従って、集塵フィルタ３１の構成を簡単にし、製造コストを低減できる。
【００６９】
本実施形態の空気清浄機１では、脱臭フィルタ３２が、集塵フィルタ３１の風下から集塵フィルタ３１に積層されるように取り付けられる。従って、集塵フィルタ３１が風下から押さえつけられ、送風室２との間を確実にシールできる。また、脱臭フィルタ３２を取り付ける際には、上方から集塵フィルタ３１を視認して取り付けることができるので、脱臭フィルタ３２の取付性を向上できる。
【００７０】
本実施形態の空気清浄機１では、脱臭フィルタ枠３５を取り付ける斜め方向の低い側に押さえ部が無いので、脱臭フィルタ枠３５を取り付ける際に、押さえ部と集塵フィルタ３１との干渉を防ぎ、装着性を向上できる。
【００７１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７２】
第１実施形態では集塵フィルタ３１は、縦方向に上下に撓みやすく構成されたが、横方向に上下に撓みやすくてもよい。このとき脱臭フィルタ枠３５は、集塵フィルタ３１の左側面部４０ｂと右側面部４０ｃとを押圧するように構成される。
【００７３】
また第１実施形態では脱臭フィルタ枠３５に脱臭フィルタ３２だけが取り付けられた。しかし図１１に示すように、脱臭フィルタ３２の上方に特化フィルタ３４を追加して取り付けてもよい。特化フィルタ３４は例えばアンモニアの吸着特性を向上させた吸着フィルタであり、トイレなどの利用シーンに特化して使用される。
【００７４】
第１実施形態では、脱臭フィルタ３２が、集塵フィルタ３１の上方から集塵フィルタ３１に積層されるように取り付けられた。しかしこれに限定されず、脱臭フィルタ３２が、集塵フィルタ３１の側方から集塵フィルタ３１に積層されるように取り付けられてもよい。
【００７５】
図１２に示す第２実施形態の空気清浄機６０は送風室２と空気清浄室３とを備えているが、加湿室４を備えていない点で第１実施形態の空気清浄機１と異なる。この空気清浄機６０では、送風ファン２０を駆動することにより取り込まれた空気が、集塵フィルタ３１と脱臭フィルタ３２とを通過した後、天面吹出口１３ａから室内に吐出される。なお、第１実施形態の空気清浄機１と同じ要素には同じ符号を付して説明を省略する。
【００７６】
空気清浄機６０の正面パネル６１の上部には、集塵フィルタ３１と脱臭フィルタ３２とを取付け、および取り外す脱着口６２が形成されている。空気清浄機６０に集塵フィルタ３１を取付けるため、図１２（ａ）に示すように集塵フィルタ３１を脱着口６２から空気清浄機６０内に挿入する。この集塵フィルタ３１は、下端面が座面４５ｂに当接して位置決めされ、座面４５ｂとの間にシール部６を形成する。
【００７７】
この後、図１２（ｂ）に示すように脱臭フィルタ３２（脱臭フィルタ枠３５）を集塵フィルタ３１の側方から高さＨ１でスライドさせる。ここで、脱臭フィルタ３２を集塵フィルタ３１の側方からスライドさせるとは、集塵フィルタ３１の面積の広い面に平行に脱臭フィルタ３２をスライドさせることを意味する。すなわち集塵フィルタ３１の側方とは、集塵フィルタ３１の面積の広い面に平行に脱臭フィルタ３２を取付け、または取り外しできる位置を言う。従って、脱臭フィルタ３１のスライド方向は、空気の流動方向と直交している。なお、脱臭フィルタ枠３５は矩形であり、スライド方向に沿った２辺には押さえ部が形成され、スライド方向の奥側と手前側の２辺には押さえ部が形成されていない。
【００７８】
そして、脱臭フィルタ枠３５はガイド６３により斜め下方に案内され、高さＨ２まで押し込まれて集塵フィルタ３１の上側に積層されるように配置される（図１２（ｃ）参照）。脱臭フィルタ枠３５が下方に押し込まれることにより、脱臭フィルタ枠３５が集塵フィルタ３１を下方に押圧する。従って、集塵フィルタ３１の周縁の下端面と座面４５ｂとの間が確実にシールされる。なお、高さＨ１およびＨ２は脱臭フィルタ枠３５の下端位置を示し、脱臭フィルタ枠３５の装着が完了したときの高さＨ２は、脱臭フィルタ枠３５をスライドさせているときの高さＨ１よりも下方に位置している。以上のように、脱臭フィルタ３２を側方からスライドさせて容易に取り付けることができる。
【００７９】
また、脱臭フィルタ枠３５の取り付け方向の奥側には、押さえ部がないので、脱臭フィルタ枠３５をスライドさせて取り付ける際に、押さえ部と集塵フィルタ３１との干渉を防ぎ、装着性を向上できる。
【００８０】
脱臭フィルタ３２を取り外す際には、脱着口６２から脱臭フィルタ枠３５を引っ張り、側方にスライドさせる。同様に、脱着口６２から集塵フィルタ３１を引っ張り、側方にスライドさせて空気清浄機６０から取り出す。
【００８１】
なお、前記実施形態では縦型の空気清浄機１を採用したが、これに限定されず、例えば横型などその他の空気清浄機を採用してもよい。縦型の空気清浄機１では空気が下方から上方に流動したのに対し、横型の空気清浄機では空気が水平方向に流動する。更に横型の空気清浄機では、例えば集塵フィルタや脱臭フィルタの面積の広い面が、空気の流動方向と直交するように配置される。このとき、脱臭フィルタが集塵フィルタの側方、すなわち、空気の流動方向と直交する方向に移動されて取り付けられる。
【００８２】
２  送風室
６  シール部
２０  送風ファン
３１  集塵フィルタ
３２  脱臭フィルタ
３５  脱臭フィルタ枠
【図１】
0006323404.tif 000002
【図２】
0006323404.tif 000003
【図３】
0006323404.tif 000004
【図４】
0006323404.tif 000005
【図５】
0006323404.tif 000006
【図６】
0006323404.tif 000007
【図７】
0006323404.tif 000008
【図８】
0006323404.tif 000009
【図９】
0006323404.tif 000010
【図１０】
0006323404.tif 000011
【図１１】
0006323404.tif 000012
【図１２】
0006323404.tif 000013